(57)【特許請求の範囲】
【請求項１】
被制御機器を制御する制御信号を送信するリモートコントロール手段と、
ビデオ信号を出力するビデオ出力手段と、
前記ビデオ出力手段と前記被制御機器とを接続するビデオ出力ケーブルが挿抜されたことを検出する検出手段と、
前記検出手段により前記ビデオ出力ケーブルの挿入が検出されると、前記リモートコントロール手段を起動する制御を行う制御手段と、
前記被制御機器の操作又は前記ビデオ出力手段のビデオ信号出力関連のグラフィカル・ユーザ・インターフェースを生成するグラフィカル・ユーザ・インターフェース生成手段と、を備え、
前記制御手段は、前記検出手段により前記ビデオ出力ケーブルの挿入が検出されると、前記被制御機器の音量調整の操作のグラフィカル・ユーザ・インターフェースを生成させる、通信端末。
【請求項２】
前記制御手段は、前記検出手段により前記ビデオ出力ケーブルの挿入が検出されると、前記被制御機器の音量調整の操作のグラフィカル・ユーザ・インターフェースと前記ビデオ信号出力の再生、停止又は順送りのグラフィカル・ユーザ・インターフェースとの両方を生成させる、請求項１に記載の通信端末。
【請求項３】
前記制御手段は、前記検出手段により前記ビデオ出力ケーブルが抜かれたことが検出されると、前記リモートコントロール手段を停止する制御を行う、請求項１又は請求項２に記載の通信端末。
【請求項４】
前記ビデオ出力手段からのビデオ信号出力を検出するビデオ出力検出手段を備え、
前記制御手段は、前記ビデオ出力ケーブルが挿入されている状態にあり、かつ前記ビデオ信号出力が開始されると、前記リモートコントロール手段を起動する制御を行う、請求項１又は請求項２に記載の通信端末。
【請求項５】
前記ビデオ出力手段からのビデオ信号出力を検出するビデオ出力検出手段を備え、
前記制御手段は、前記ビデオ出力ケーブルが挿入されている状態にあり、かつ前記ビデオ信号出力が停止されると、前記リモートコントロール手段を停止する制御を行う、請求項１又は請求項２に記載の通信端末。
【請求項６】
被制御機器を制御する制御信号を送信するリモートコントロール手段と、ビデオ信号を出力するビデオ出力手段と、を備える通信端末に、
前記ビデオ出力手段と前記被制御機器とを接続するビデオ出力ケーブルが挿抜されたことを検出する検出手順と、
前記検出手順により前記ビデオ出力ケーブルの挿入が検出されると、前記リモートコントロール手段を起動する制御を行う制御手順と、
前記被制御機器の操作又は前記ビデオ出力手段のビデオ信号出力関連のグラフィカル・ユーザ・インターフェースを生成するグラフィカル・ユーザ・インターフェース生成手順と、を実行させるためのプログラムであって、
前記制御手順では、前記検出手順により前記ビデオ出力ケーブルの挿入が検出されると、前記被制御機器の音量調整の操作のグラフィカル・ユーザ・インターフェースを生成させる、プログラム。
【請求項７】
前記制御手順は、前記検出手順により前記ビデオ出力ケーブルの挿入が検出されると、前記被制御機器の音量調整の操作のグラフィカル・ユーザ・インターフェースと前記ビデオ信号出力の再生、停止又は順送りのグラフィカル・ユーザ・インターフェースとの両方を生成させる、請求項６に記載のプログラム。
【発明の詳細な説明】
【技術分野】
【０００１】
本発明は、テレビ等のリモートコントロール（以下、リモコンという）機能及びビデオ出力機能を有する通信端末及びプログラムに関する。
【背景技術】
【０００２】
従来、テレビ等のリモコンと通信端末の両方の機能を備えたものとして、リモートコントロール機能付き携帯電話機がある（例えば、特許文献１参照）。
【０００３】
特許文献１記載の携帯電話リモコンシステムでは、電話機の番号ボタンにて設定された番号を押すことにより、リモコンコード記憶ＩＣに記憶されている操作者の希望する被制御機器である家電製品のリモコン機能を呼び出すことができるので、一つの電話機のみで複数種の家電製品に対してリモートコントロール機能を使用することができる。
【０００４】
上記携帯電話リモコンシステムは、通信端末機能とリモコン機能を機能モード切替えスイッチを押すことにより切り替えるものであり、自動的にリモコン機能をアクティブにすることはできない。
【０００５】
一方、近年実用化されているビデオ出力機能付き携帯電話端末においては、携帯電話端末からの動画像又は静止画像をテレビにビデオ出力して表示する場合、テレビ側の電源、オン・オフ、音量調整、チャンネル選択又は画質調整その他の操作をテレビ専用のリモコン装置で行う。
【特許文献１】特開２００３−７８９７７号公報
【発明の開示】
【発明が解決しようとする課題】
【０００６】
このような従来の携帯電話リモコンシステムにあっては、携帯電話機に単にリモコン機能が付加されている構成であったため、端末自体の操作とテレビ等のリモコン制御対象機器操作とを交互に行う際には、切替えスイッチ等を押すなどの操作を行って端末機能とリモコン機能を切り替える必要があり、不便であるという問題点がある。
【０００７】
本発明は、かかる点に鑑みてなされたものであり、通信端末のビデオ出力時に、ビデオ出力対象機器の操作を通信端末側から簡単に行うことができる通信端末及びプログラムを提供することを目的とする。
【課題を解決するための手段】
【０００８】
本発明の通信端末は、被制御機器を制御する制御信号を送信するリモートコントロール手段と、ビデオ信号を出力するビデオ出力手段と、前記ビデオ出力手段と前記被制御機器とを接続するビデオ出力ケーブルが挿抜されたことを検出する検出手段と、前記検出手段により前記ビデオ出力ケーブルの挿入が検出されると、前記リモートコントロール手段を起動する制御を行う制御手段と、前記被制御機器の操作又は前記ビデオ出力手段のビデオ信号出力関連のグラフィカル・ユーザ・インターフェースを生成するグラフィカル・ユーザ・インターフェース生成手段と、を備え、前記制御手段は、前記検出手段により前記ビデオ出力ケーブルの挿入が検出されると、前記被制御機器の音量調整の操作のグラフィカル・ユーザ・インターフェースを生成させる、構成を採る。
【０００９】
本発明は、被制御機器を制御する制御信号を送信するリモートコントロール手段と、ビデオ信号を出力するビデオ出力手段と、を備える通信端末に、前記ビデオ出力手段と前記被制御機器とを接続するビデオ出力ケーブルが挿抜されたことを検出する検出手順と、前記検出手順により前記ビデオ出力ケーブルの挿入が検出されると、前記リモートコントロール手段を起動する制御を行う制御手順と、前記被制御機器の操作又は前記ビデオ出力手段のビデオ信号出力関連のグラフィカル・ユーザ・インターフェースを生成するグラフィカル・ユーザ・インターフェース生成手順と、を実行させるためのプログラムであって、前記制御手順では、前記検出手順により前記ビデオ出力ケーブルの挿入が検出されると、前記被制御機器の音量調整の操作のグラフィカル・ユーザ・インターフェースを生成させる、プログラムである。
【発明の効果】
【００１０】
本発明によれば、ビデオ出力ケーブルの挿抜により自動的にリモートコントロール機能を使用可能にすることができ、ユーザが切替スイッチを押す等の操作を行うことなく、通信端末自体の操作とテレビ操作を同時にかつ簡便に行うことができる。
【発明を実施するための最良の形態】
【００１１】
以下、本発明の実施の形態について図面を参照して詳細に説明する。
【００１２】
図１は、本発明の一実施の形態に係る通信端末の構成を示すブロック図である。
【００１３】
図１において、リモコン機能及びビデオ出力機能付き通信端末１００は、ビデオ出力ケーブルの挿抜を検出するケーブル挿抜検出部１０１と、通信端末内部の動画像及び静止画像をビデオ信号に変換して外部出力するビデオ信号出力部１０２と、各種の製品メーカのリモコン機能に対応した制御信号を出力する赤外線発光部１０３と、ＧＵＩ（Graphical User Interface）を表示する液晶表示部１０４と、装置全体及び各部を制御する制御部１０５と、通信端末の操作及びリモコン機能の操作を行うキー入力部１０６とを備えて構成される。
【００１４】
テレビ受信機２００は、ビデオ信号入力部２０１及び赤外線受光部２０２を備えて構成される。
【００１５】
赤外線発光部１０３及び赤外線受光部２０２は、赤外線を利用してデータを伝送するための規格、ＩｒＤＡ（Infrared Data Association），ＡＳＫ等に準拠して光通信を行うためのＩ／Ｏポートである。なお、赤外線に代え、電波による無線通信を行う態様であってもよい。
【００１６】
制御部１０５は、マイクロコンピュータ等により構成され、ケーブル挿抜検出部１０１によるビデオ出力ケーブル１５０の挿抜の検出を基に、ビデオ信号出力部１０２を起動・停止する制御を行う。制御部１０５はまた、被制御機器の操作情報又はビデオ信号出力の関連情報のＧＵＩを生成するＧＵＩ表示ＯＳＤ（On Screen Display）機能を含んで構成され、被制御機器の操作情報や音量などのビデオ信号出力の関連情報を液晶表示部１０４の画面上に表示する。
【００１７】
図２は、上記通信端末１００の外観を示す図、図３は、上記通信端末１００及びテレビ受信機２００の外観を示す図である。本実施の形態の通信端末として携帯電話機／ＰＨＳ（Personal Handy-Phone System）に、また、ビデオ出力対象機器としてテレビ受信機に適用した例である。
【００１８】
図２及び図３において、携帯電話機（通信端末）３００は、ＬＣＤ表示部３０１、キー入力部３０２、受話を行うための端末内蔵スピーカ３０３、赤外線発光部３０４、及びビデオ信号出力端子３０５を備えて構成される。
【００１９】
ＬＣＤ表示部３０１は、ドットマトリクス構成のＬＣＤディスプレイ，バックライトであるＰＤＰ，ＥＬ及び各ドライバ等で構成される。ＬＣＤ表示部３０１には、電話機能のための各種画面、電話機能の動作状態を示すアイコン等が表示される。また、リモコン機
能モード時やビデオ出力機能モード時には、各種操作情報や音量調整ＧＵＩが表示される。
【００２０】
キー入力部３０２は、着信，発信，電話機能切り替え，動作決定等を行う電話機能キー３１１、各種機能を切り替えるモードキー３１２、上下左右の方向に選択対象を移動させるカーソルキー３１３、電話番号等をダイヤルするダイヤルキー３１４を備え、カーソルキー３１３は、上方向キー３１３ａ及び下方向キー３１３ｂを含む。
【００２１】
図３において、テレビ受信機４００は、表示部４０１、テレビ内蔵スピーカ４０２、及びビデオ信号入力端子４０３を備える。また、携帯電話機３００のビデオ信号出力端子３０５とテレビ受信機４００のビデオ信号入力端子４０３は、ビデオ出力ケーブル３５０により接続され、ビデオ出力時には、携帯電話機３００からテレビ受信機４００にビデオ信号が出力される。テレビ受信機４００は、制御用マイクロコンピュータを備え、図示しないＯＳＤ発生機能部により、チャンネル、時刻、音量などの情報をテレビ等の画面上に表示する。ＴＶ等の映像装置、テレビ会議システム等の電子機器では、チャンネル、時刻、音量などの情報をテレビ画面上に表示することが一般的になっている。ＯＳＤのデータは画像ではなく、ビットマップと呼ばれる形式で保持されており、このビットマップからＹ，Ｃｂ，Ｃｒで表されるＹＵＶ形式の画素値に変換され、その変換された画素がテレビ放送などの原画像の上に重畳される。
【００２２】
以下、上述のように構成された通信端末１００の動作について説明する。
【００２３】
図１において、キー入力部１０６に対して、動画像又は静止画像を再生する操作に関する入力があると、制御部１０５は通信端末１００内部に保存されている画像を液晶表示部１０４に表示する。この際、液晶表示部１０４には画像とともに、画像の再生、停止、順送り等の操作方法を示すＧＵＩを表示する。ＧＵＩ表示の具体例については、図２及び図３により後述する。
【００２４】
次に、ビデオ出力ケーブル１５０が挿入されたときの動作について述べる。
【００２５】
ビデオ出力ケーブル１５０をビデオ信号出力部１０２に挿入すると、ケーブルが挿入されたことをケーブル挿抜検出部１０１が検出し、制御部１０５に挿抜状態を通知する。制御部１０５は、ケーブル挿抜検出部１０１からケーブル挿入の通知を受け、ビデオ信号出力部１０２からのビデオ出力画像をビデオ出力ケーブル１５０を通してテレビ受信機２００のビデオ信号入力部２０１に出力する。
【００２６】
さらに、制御部１０５は、ケーブル挿抜検出部１０１からケーブル挿入の通知を受けることによって赤外線発光部１０３を起動し、液晶表示部１０４にテレビリモコンの操作方法を示すＧＵＩを表示する。この際、画像の再生、停止、順送り等の端末の操作方法を示すＧＵＩとテレビリモコンの操作方法を示すＧＵＩとを両方表示する。ユーザは、ＧＵＩに従い、キー入力部１０６を操作することにより、通信端末１００自体の操作及びリモコン機能の操作の両方の操作が可能である。
【００２７】
次に、ビデオ出力ケーブル１５０が抜かれたときの動作について述べる。
【００２８】
ビデオ出力ケーブル１５０がビデオ信号出力部１０２から抜かれると、ケーブルが抜かれたことをケーブル挿抜検出部１０１が検出し、制御部１０５に挿抜状態を通知する。制御部１０５は、ケーブル挿抜検出部１０１からケーブル抜の通知を受け、ビデオ信号出力部１０２への画像の転送を中断し、ビデオ信号出力を停止する。
【００２９】
さらに、制御部１０５は、ケーブル挿抜検出部１０１からケーブル抜きの通知を受けることによって液晶表示部１０４に表示されているテレビリモコンの操作方法を示すＧＵＩを消去し、赤外線発光部１０３の動作を停止させる。以降、ユーザは、ＧＵＩに従い、キー入力部１０６を操作することにより、通信端末１００自体の操作のみ受け付けることが可能になる。
【００３０】
次に、あらかじめビデオ出力ケーブル１５０が挿入された状態で、キー入力部１０６に対して、動画像又は静止画像を再生する操作に関する入力があった場合の動作について述べる。
【００３１】
制御部１０５は、ケーブル挿抜検出部１０１から既にケーブル挿入状態であることが通知されているため、画像をビデオ信号出力部１０２を通してテレビ受信機２００のビデオ信号入力部２０１に出力するとともに、赤外線発光部１０３を起動し、液晶表示部１０４にテレビリモコンの操作方法を示すＧＵＩを表示する。この際のＧＵＩ表示やキー入力の受付は上述した動作と同じである。その後、ビデオ出力ケーブル１５０が挿入されている状態で、ビデオ信号出力が停止すると、制御部１０５は、赤外線発光部１０３の動作を停止させる。
【００３２】
図２及び図３を参照して、ＧＵＩの具体例について説明する。
【００３３】
図２はビデオ出力をしていない状態での音量調整のＧＵＩ例である。携帯電話機３００は、例えばモードキー３１２操作によってビデオ出力機能モードに切り替えることにより通常の電話通信機能から図２に示す端末音量調整ＧＵＩ３２０表示へと切り替えられる。
【００３４】
図２に示すように、携帯電話機３００のＬＣＤ表示部３０１には、ビデオ出力画像３２１が表示されるとともに、音量操作方法を示す端末音量調整ＧＵＩ３２０と、ビデオ出力の停止及び実行を指定するソフトウェアキー３２２，３２３とが表示される。
【００３５】
ユーザは、ＬＣＤ表示部３０１に表示された音声操作方法を示す端末音量調整ＧＵＩ３２０に従って、キー入力キー入力部３０２のカーソルキー３１３にある上方向キー３１３ａ又は下方向キー３１３ｂを押下することで端末内蔵スピーカ３０３から出力される音量を調整することができる。
【００３６】
図３は携帯電話機３００とテレビ受信機４００をビデオ出力ケーブル３５０により接続した場合の例である。上述したように、ビデオ出力ケーブル３５０を携帯電話機３００のビデオ信号出力端子３０５に挿入すると、ビデオ出力画像がビデオ出力ケーブル３５０を通してテレビ受信機４００に出力される。
【００３７】
ビデオ出力がある状態では、携帯電話機３００のＬＣＤ表示部３０１には音量調整のＧＵＩ３３０が表示される。このテレビ音量調整ＧＵＩ３３０は、ビデオ出力開始を契機に自動的に図２に示す端末音量調整ＧＵＩ３２０から切り替えられて表示される。図３の音量調整ＧＵＩ例では、端末内蔵スピーカ３０３から出力される音量を上げるキー、音量を下げるキーがそれぞれ上方向キー３１３ａと下方向キー３１３ｂに割り当てられ、これらのキーにより操作できることが表示される。ここで、図２に示すテレビ音量調整ＧＵＩ３２０と図３に示す端末音量調整ＧＵＩ３３０は共に、上方向キー３１３ａにより音量を上げて、また下方向キー３１３ｂにより音量を下げるという同一のキー操作となっており、ビデオ出力中か否かに関わらず、ユーザは同じキー操作によって状況に応じた音量調整が可能になる。ユーザによる上方向キー３１３ａ、下方向キー３１３ｂによるキー操作は、リモコン制御信号に変換され、赤外線発光部３０４からテレビ受信機４００の赤外線受光部（図示略）に送信されてテレビ受信機４００の音量を調整する。
【００３８】
以上のように、本実施の形態によれば、通信端末１００からテレビ受信機２００にビデオ出力する際に、ビデオ出力ケーブル１５０を通信端末に接続したことを契機に、通信端末内の赤外線発光部１０３を自動起動し、通信端末１００の操作により、テレビ受信機２００の電源制御、ビデオ入力切替え、音量調整を可能にするので、ユーザが切替スイッチを押す等の操作を行うことなく、通信端末操作とテレビ操作を同時かつ簡便に行うことができる。
【００３９】
以上の説明は本発明の好適な実施の形態の例証であり、本発明の範囲はこれに限定されることはない。例えば、通信端末として携帯電話機を、被制御機器としてテレビ受信機に適用した例について説明しているが、携帯電話機に限らず情報通信機能を持ったＰＤＡ（Personal Digital Assistants）等の携帯情報端末、パーソナルコンピュータ又はその融合された装置に適用可能である。また、被制御機器は、上述したテレビ受信機は勿論のこと、ＣＳ，１１０°デジタル放送受信装置、さらにはテレビ受信機以外の電子機器、例えばデジタル放送チューナを内蔵／接続可能なパーソナルコンピュータや携帯電話のデジタル放送受信装置に適用してもよい。さらに、本通信機器はテレビ受信機以外の、例えば録画再生装置（被制御機器）に受信し記憶したデータを送信するものでもよい。
【００４０】
また、図２及び図３のＧＵＩ表示例は一例であり、どのような表示形態でも構わない。
【００４１】
また、本実施の形態では通信端末という名称を用いたが、これは説明の便宜上であり、携帯電話機、携帯電話リモコン装置、ビデオ出力装置等であってもよいことは勿論である。
【００４２】
さらに、上記通信端末を構成する各回路部、例えばビデオ信号出力部等の種類、数及び接続方法などは前述した実施の形態に限られない。
【００４３】
また、以上説明した通信端末は、これら通信端末を機能させるためのプログラムでも実現される。このプログラムはコンピュータで読み取り可能な記録媒体に格納されている。
【００４４】
本明細書は、２００５年７月１日出願の特願２００５−１９３６８８に基づく。この内容はすべてここに含めておく。
【産業上の利用可能性】
【００４５】
本発明に係る通信端末及びプログラムは、複数種の家電製品に対してリモートコントロール機能を使用することができるビデオ出力機能を有する通信端末及びプログラムとして有用である。
【図面の簡単な説明】
【００４６】
【図１】本発明の一実施の形態に係る通信端末の構成を示すブロック図
【図２】上記実施の形態に係る通信端末の外観を示す図
【図３】上記実施の形態に係る通信端末及びテレビ受信機の外観を示す図
【図１】
0004726901.tif 000002
【図２】
0004726901.tif 000003
【図３】
0004726901.tif 000004